(57)【要約】【課題】  複数の無線システムが互いに周波数帯の近い信号を用いるときでも、複数の無線システムが同時に送信、受信を行うことができる無線通信装置を提供する。【解決手段】  第１，第２のアンテナ６，７と共用器３、送受信切換器５との間には、スイッチ９〜１２、経路１３，１４からなるスイッチ回路８を設ける。そして、デュアルモード使用時には、スイッチ回路８は、共用器３、送受信切換器５を第１，第２のアンテナ６，７にそれぞれ接続する。一方、第１の無線システム２だけを使用するシングルモード使用時には、スイッチ回路８は、共用器３を第１，第２のアンテナ６，７のいずれか一方に接続する。また、第２の無線システム４だけを使用するシングルモード使用時には、スイッチ回路８は、送受信切換器５を第１，第２のアンテナ６，７のいずれか一方に接続する。【選択図】        図１
2006310968.tif 000002
【特許請求の範囲】
【請求項１】
第１の送信信号、受信信号を送信、受信する第１の無線システムと、
前記第１の送信信号、受信信号と異なる第２の送信信号、受信信号を送信、受信する第２の無線システムと、
前記第１の無線システムに接続され第１の送信信号、受信信号を分離する第１の送受信分離回路と、
前記第２の無線システムに接続され第２の送信信号、受信信号を分離する第２の送受信分離回路と、
前記第１，第２の無線システムで使用可能な第１，第２のアンテナと、
該第１，第２のアンテナと第１，第２の送受信分離回路との間に設けられ各送受信分離回路に接続されるアンテナを切換えるスイッチ回路とを備え、
前記スイッチ回路は、前記第１，第２の無線システムを同時に使用するときには前記第１，第２の送受信分離回路を第１，第２のアンテナのうち互いに異なるアンテナにそれぞれ接続し、前記第１，第２の無線システムのうちいずれか一方の無線システムを使用するときには当該無線システムに接続された送受信分離回路を前記第１，第２のアンテナのうちいずれか一方のアンテナに接続する構成としてなる無線通信装置。
【請求項２】
前記スイッチ回路は、前記第１のアンテナと第１の送受信分離回路との間に直列に設けられた第１のアンテナ側スイッチおよび第１の回路側スイッチと、前記第２のアンテナと第２の送受信分離回路との間に直列に設けられた第２のアンテナ側スイッチおよび第２の回路側スイッチと、前記第１，第２のアンテナ側スイッチの間に位置して前記第１のアンテナと第２の送受信分離回路とを接続する第１の経路と、前記第１，第２の回路側スイッチの間に位置して前記第２のアンテナと第１の送受信分離回路とを接続する第２の経路とを備え、
前記第１，第２の無線システムを同時に使用するときには、第１のアンテナ側スイッチおよび第１の回路側スイッチを用いて第１の送受信分離回路を第１のアンテナに接続し、第２のアンテナ側スイッチおよび第２の回路側スイッチを用いて第２の送受信分離回路を第２のアンテナに接続し、
前記第１の無線システムのみを使用するときには、第１のアンテナ側スイッチおよび第１の回路側スイッチを用いて第１の送受信分離回路を第１のアンテナに接続し、または第２の経路を用いて第１の送受信分離回路を第２のアンテナに接続し、
前記第２の無線システムのみを使用するときには、第２のアンテナ側スイッチおよび第２の回路側スイッチを用いて第２の送受信分離回路を第２のアンテナに接続し、または第１の経路を用いて第２の送受信分離回路を第１のアンテナに接続する構成としてなる請求項１に記載の無線通信装置。
【請求項３】
前記スイッチ回路は、前記第１のアンテナと第１の送受信分離回路との間に直列に設けられた第１のアンテナ側スイッチおよび第１の回路側スイッチと、前記第２のアンテナと第２の送受信分離回路との間に直列に設けられた第２のアンテナ側スイッチおよび第２の回路側スイッチと、前記第１のアンテナ側スイッチと第２の回路側スイッチとの間に位置して前記第１のアンテナと第２の送受信分離回路とを接続する第１の経路と、前記第２のアンテナ側スイッチと第１の回路側スイッチの間に位置して前記第２のアンテナと第１の送受信分離回路とを接続する第２の経路とを備え、
前記第１，第２の無線システムを同時に使用するときには、第１の送受信分離回路を第１，第２のアンテナのうちいずれか一方に接続し、第２の送受信分離回路を第１，第２のアンテナのうち残余の他方に接続し、
前記第１の無線システムのみを使用するときには、第１のアンテナ側スイッチおよび第１の回路側スイッチを用いて第１の送受信分離回路を第１のアンテナに接続し、または第２の経路を用いて第１の送受信分離回路を第２のアンテナに接続し、
前記第２の無線システムのみを使用するときには、第２のアンテナ側スイッチおよび第２の回路側スイッチを用いて第２の送受信分離回路を第２のアンテナに接続し、または第１の経路を用いて第２の送受信分離回路を第１のアンテナに接続する構成としてなる請求項１に記載の無線通信装置。
【請求項４】
前記第１の経路の途中には、第１のアンテナと第２の送受信分離回路との間を整合させる第１の整合回路を設け、
前記第２の経路の途中には、第２のアンテナと第１の送受信分離回路との間を整合させる第２の整合回路を設ける構成としてなる請求項２または３に記載の無線通信装置。
【請求項５】
前記スイッチ回路は、前記第１，第２の無線システムのうちいずれか一方の無線システムを使用するときには、当該無線システムに接続された送受信分離回路を前記第１，第２のアンテナのうちいずれか一方のアンテナに接続し、残余の他方のアンテナを短絡、開放または一定のインピーダンスに接続する構成としてなる請求項１，２，３または４に記載の無線通信装置。
【請求項６】
前記スイッチ回路は、前記第１，第２の無線システムのうちいずれか一方の無線システムを使用するときには、当該無線システムに接続された送受信分離回路を前記第１，第２のアンテナのうちいずれか一方のアンテナに接続し、残余の無送受信分離回路を一定のインピーダンスに接続する構成としてなる請求項１，２，３，４または５に記載の無線通信装置。
【発明の詳細な説明】
【技術分野】
【０００１】
本発明は、複数の送信信号、受信信号を送信、受信する無線通信装置に関し、特に複数のアンテナを備えた無線通信装置に関する。
【背景技術】
【０００２】
一般に、複数のアンテナと複数の無線システムとを備え、複数の送信信号、受信信号を送信、受信する無線通信装置が知られている（例えば、特許文献１，２参照）。例えば、特許文献１に記載された無線通信装置では、互いに異なる周波数帯を使用する第１，第２の無線システムと、第１，第２の無線システムで共用する送信用アンテナ、受信用アンテナとを備えている。このとき、第１，第２の無線システムで共用するために、２つのアンテナ（送信用アンテナ、受信用アンテナ）には第１，第２の共用器がそれぞれ接続して設けると共に、該第１，第２の共用器と第１，第２の無線システムとの間には、これらの間を切換えるアンテナ切換回路が設ける構成としている。
【０００３】
また、特許文献２に記載された無線通信装置では、互いに異なる周波数帯を使用する第１，第２の送信部および受信部と、第１，第２の送信部および受信部で送信、受信を共用する第１，第２のアンテナとを備えている。このとき、第１，第２の送信部には送信用の共用器を接続して設け、第１，第２の受信部には受信用の共用器を接続して設けると共に、２つの共用器と第１，第２のアンテナとの間には、これらの間を切換える切換スイッチを設ける構成としている。
【０００４】
【特許文献１】特開２００４−７１６２号公報
【特許文献２】特開２００２−９６７９号公報
【発明の開示】
【発明が解決しようとする課題】
【０００５】
ところで、特許文献１に記載された無線通信装置では、第１，第２の無線システムは送信用アンテナ、受信用アンテナを共用する構成になっているから、例えば送信用アンテナを用いて第１の無線システムが送信しているときには、第２の無線システムは送信することができない。同様に、受信用アンテナを用いて第１の無線システムが受信しているときには、第２の無線システムは受信することができない。このため、特許文献１の構成では、第１，第２の無線システムを用いて同時に送信、受信することができないという問題がある。
【０００６】
また、特許文献１には、送信用アンテナには２つの送信信号を合波する第１の共用器が設けられると共に、受信用アンテナには２つの受信信号を分波する第２の共用器が設ける構成が開示されている。しかし、特許文献１には、各アンテナと第１，第２の無線システムとの間に送信動作と受信動作とを切換える構成が開示されていない。このため、例えばＴＤＭＡ（Time Division Multiple Access）方式のように時分割で送信、受信を切換える規格に対しては、特許文献１による無線通信装置は適用できないという問題がある。
【０００７】
一方、特許文献２に記載された無線通信装置では、例えば第１のアンテナに対して第１，第２の送信部を接続し、第２のアンテナに対して第１，第２の受信部を接続する構成としている。この場合、第１，第２の受信部を単一のアンテナに接続するから、これら２つの受信部で用いる受信信号の周波数帯が十分に離れていれば、受信用の共用器を用いて２つの受信信号を分離（分波）することができる。しかし、２つの受信信号の周波数帯が近くなり、例えば周波数帯の一部が重なるときには、２つの受信信号を分離することができない。
【０００８】
特に、近年の移動体通信にはＷ−ＣＤＭＡ（Wideband Code Division Multiple Access）規格やＧＳＭ（Global System for Mobile Communications）規格が用いられる傾向があり、これらを１台の端末で使用したいという要請がある。このとき、例えばＷ−ＣＤＭＡ規格に用いられる信号は２ＧＨｚであるのに対し、ＧＳＭ規格に用いられる信号は１．８ＧＨｚ、１．９ＧＨｚであり、これらの信号は周波数帯が重複してしまう。このため、特許文献２による無線通信装置では、２つの受信信号を同時に受信することができないという問題がある。
【０００９】
本発明は上述した従来技術の問題に鑑みなされたもので、本発明の目的は、複数の無線システムが互いに周波数帯の近い信号を用いるときでも、複数の無線システムが同時に送信、受信を行うことができる無線通信装置を提供することにある。
【課題を解決するための手段】
【００１０】
上述した課題を解決するために請求項１の発明による無線通信装置は、第１の送信信号、受信信号を送信、受信する第１の無線システムと、前記第１の送信信号、受信信号と異なる第２の送信信号、受信信号を送信、受信する第２の無線システムと、前記第１の無線システムに接続され第１の送信信号、受信信号を分離する第１の送受信分離回路と、前記第２の無線システムに接続され第２の送信信号、受信信号を分離する第２の送受信分離回路と、前記第１，第２の無線システムで使用可能な第１，第２のアンテナと、該第１，第２のアンテナと第１，第２の送受信分離回路との間に設けられ各送受信分離回路に接続されるアンテナを切換えるスイッチ回路とを備え、前記スイッチ回路は、前記第１，第２の無線システムを同時に使用するときには前記第１，第２の送受信分離回路を第１，第２のアンテナのうち互いに異なるアンテナにそれぞれ接続し、前記第１，第２の無線システムのうちいずれか一方の無線システムを使用するときには当該無線システムに接続された送受信分離回路を前記第１，第２のアンテナのうちいずれか一方のアンテナに接続する構成としている。
【００１１】
請求項２の発明では、前記スイッチ回路は、前記第１のアンテナと第１の送受信分離回路との間に直列に設けられた第１のアンテナ側スイッチおよび第１の回路側スイッチと、前記第２のアンテナと第２の送受信分離回路との間に直列に設けられた第２のアンテナ側スイッチおよび第２の回路側スイッチと、前記第１，第２のアンテナ側スイッチの間に位置して前記第１のアンテナと第２の送受信分離回路とを接続する第１の経路と、前記第１，第２の回路側スイッチの間に位置して前記第２のアンテナと第１の送受信分離回路とを接続する第２の経路とを備え、前記第１，第２の無線システムを同時に使用するときには、第１のアンテナ側スイッチおよび第１の回路側スイッチを用いて第１の送受信分離回路を第１のアンテナに接続し、第２のアンテナ側スイッチおよび第２の回路側スイッチを用いて第２の送受信分離回路を第２のアンテナに接続し、前記第１の無線システムのみを使用するときには、第１のアンテナ側スイッチおよび第１の回路側スイッチを用いて第１の送受信分離回路を第１のアンテナに接続し、または第２の経路を用いて第１の送受信分離回路を第２のアンテナに接続し、前記第２の無線システムのみを使用するときには、第２のアンテナ側スイッチおよび第２の回路側スイッチを用いて第２の送受信分離回路を第２のアンテナに接続し、または第１の経路を用いて第２の送受信分離回路を第１のアンテナに接続する構成としている。
【００１２】
請求項３の発明では、前記スイッチ回路は、前記第１のアンテナと第１の送受信分離回路との間に直列に設けられた第１のアンテナ側スイッチおよび第１の回路側スイッチと、前記第２のアンテナと第２の送受信分離回路との間に直列に設けられた第２のアンテナ側スイッチおよび第２の回路側スイッチと、前記第１のアンテナ側スイッチと第２の回路側スイッチとの間に位置して前記第１のアンテナと第２の送受信分離回路とを接続する第１の経路と、前記第２のアンテナ側スイッチと第１の回路側スイッチの間に位置して前記第２のアンテナと第１の送受信分離回路とを接続する第２の経路とを備え、前記第１，第２の無線システムを同時に使用するときには、第１の送受信分離回路を第１，第２のアンテナのうちいずれか一方に接続し、第２の送受信分離回路を第１，第２のアンテナのうち残余の他方に接続し、前記第１の無線システムのみを使用するときには、第１のアンテナ側スイッチおよび第１の回路側スイッチを用いて第１の送受信分離回路を第１のアンテナに接続し、または第２の経路を用いて第１の送受信分離回路を第２のアンテナに接続し、前記第２の無線システムのみを使用するときには、第２のアンテナ側スイッチおよび第２の回路側スイッチを用いて第２の送受信分離回路を第２のアンテナに接続し、または第１の経路を用いて第２の送受信分離回路を第１のアンテナに接続する構成としている。
【００１３】
請求項４の発明では、前記第１の経路の途中には、第１のアンテナと第２の送受信分離回路との間を整合させる第１の整合回路を設け、前記第２の経路の途中には、第２のアンテナと第１の送受信分離回路との間を整合させる第２の整合回路を設ける構成としている。
【００１４】
請求項５の発明では、前記スイッチ回路は、前記第１，第２の無線システムのうちいずれか一方の無線システムを使用するときには、当該無線システムに接続された送受信分離回路を前記第１，第２のアンテナのうちいずれか一方のアンテナに接続し、残余の他方のアンテナを短絡、開放または一定のインピーダンスに接続する構成としている。
【００１５】
請求項６の発明では、前記スイッチ回路は、前記第１，第２の無線システムのうちいずれか一方の無線システムを使用するときには、当該無線システムに接続された送受信分離回路を前記第１，第２のアンテナのうちいずれか一方のアンテナに接続し、残余の無送受信分離回路を一定のインピーダンスに接続する構成としている。
【発明の効果】
【００１６】
請求項１の発明によれば、第１，第２のアンテナと第１，第２の送受信分離回路との間にはスイッチ回路を設けたから、第１，第２の無線システムを同時に使用するときには、スイッチ回路を用いて第１，第２の送受信分離回路を第１，第２のアンテナのうち互いに異なるアンテナにそれぞれ接続することができる。これにより、第１，第２の無線システムは、別々のアンテナを用いて同時に送信、受信を行うことができる。
【００１７】
また、第１，第２の無線システムを同時に使用するときでも、第１，第２の送受信分離回路を互いに異なるアンテナに接続するから、例えば単一のアンテナに対して２つの無線システムを接続した場合のように、単一のアンテナから受信した信号を第１，第２の無線システムに対して振り分ける必要がない。このため、第１，第２の無線システムで周波数帯の近い信号を用いるときでも、第１，第２の無線システムを用いて同時に受信することができる。
【００１８】
一方、第１，第２の無線システムのうちいずれか一方の無線システムを使用するときには、スイッチ回路を用いて当該無線システムに接続された送受信分離回路を第１，第２のアンテナのうちいずれか一方のアンテナに接続することができる。これにより、例えば第１，第２のアンテナのうち送信状態や受信状態のよいアンテナに対して一方の無線システムを接続することができ、各無線システムに対してスイッチ回路を用いてアンテナダイバーシチを行うことができる。
【００１９】
また、第１，第２の無線システムには第１，第２の送受信分離回路をそれぞれ接続して設けたから、第１，第２の無線システムは、各送受信分離回路を用いて送信動作と受信動作とを切換えることができる。このため、第１，第２の無線システムは単一のアンテナを用いて送信、受信を行うことができ、送信用アンテナと受信用アンテナとを区別する必要がないから、無線システムの方式（例えばＴＤＭＡ、ＣＤＭＡ等）に依存しないで、本発明を適用することができる。
【００２０】
請求項２の発明によれば、スイッチ回路は、第１のアンテナと第１の送受信分離回路との間に直列に設けられた第１のアンテナ側スイッチおよび第１の回路側スイッチと、第２のアンテナと第２の送受信分離回路との間に直列に設けられた第２のアンテナ側スイッチおよび第２の回路側スイッチと、第１，第２のアンテナ側スイッチの間に設けられた第１の経路と、第１，第２の回路側スイッチの間に設けられた第２の経路とを備える構成としている。
【００２１】
このため、第１，第２の無線システムを同時に使用するときには、第１のアンテナ側スイッチおよび第１の回路側スイッチを用いて第１の送受信分離回路を第１のアンテナに接続し、第２のアンテナ側スイッチおよび第２の回路側スイッチを用いて第２の送受信分離回路を第２のアンテナに接続することができる。
【００２２】
また、第１の無線システムのみを使用するときには、第１のアンテナ側スイッチおよび第１の回路側スイッチを用いて第１の送受信分離回路を第１のアンテナに接続することができ、または第２の経路を用いて第１の送受信分離回路を第２のアンテナに接続することができる。これにより、第１，第２のアンテナのうちいずれか一方のアンテナを第１の無線システムに対して選択的に接続することができるから、例えば送信状態、受信状態の良好なアンテナに対して第１の無線システムを接続することができ、アンテナダイバーシチを行うことができる。
【００２３】
同様に、第２の無線システムのみを使用するときには、第２のアンテナ側スイッチおよび第２の回路側スイッチを用いて第２の送受信分離回路を第２のアンテナに接続することができ、または第１の経路を用いて第２の送受信分離回路を第１のアンテナに接続することができる。このため、第２の無線システムに対しても、アンテナダイバーシチを行うことができる。
【００２４】
請求項３の発明によれば、スイッチ回路は、第１のアンテナと第１の送受信分離回路との間に直列に設けられた第１のアンテナ側スイッチおよび第１の回路側スイッチと、第２のアンテナと第２の送受信分離回路との間に直列に設けられた第２のアンテナ側スイッチおよび第２の回路側スイッチと、第１のアンテナ側スイッチと第２の回路側スイッチとの間に設けられた第１の経路と、第２のアンテナ側スイッチと第１の回路側スイッチの間に設けられた第２の経路とを備える構成としている。
【００２５】
これにより、第１，第２の無線システムを同時に使用する場合には、例えば第１のアンテナ側スイッチおよび第１の回路側スイッチを用いて第１の送受信分離回路を第１のアンテナに接続し、第２のアンテナ側スイッチおよび第２の回路側スイッチを用いて第２の送受信分離回路を第２のアンテナに接続することができる。
【００２６】
また、第１のアンテナ側スイッチは、他のスイッチ（例えば第２のアンテナ側スイッチ）を介することなく、第１の経路を通じて第２の回路側スイッチに直接的に接続される。また、第２のアンテナ側スイッチも、第２の経路を通じて第２の回路側スイッチに直接的に接続される構成となっている。このため、第１，第２の無線システムを同時に使用する場合には、第２の経路を用いて第１の送受信分離回路を第２のアンテナに接続し、第１の経路を用いて第２の送受信分離回路を第１のアンテナに接続することもできる。この結果、例えば第１の無線システムが第２のアンテナに接続された状態であっても、この接続状態を維持しつつ第２の無線システムを第１のアンテナに接続し、２つの無線システムを同時に使用する状態に切換えることができ、通信の停止状態をなくすことができる。
【００２７】
また、第１の無線システムのみを使用するときには、第１のアンテナ側スイッチおよび第１の回路側スイッチを用いて第１の送受信分離回路を第１のアンテナに接続することができ、または第２の経路を用いて第１の送受信分離回路を第２のアンテナに接続することができる。これにより、第１，第２のアンテナのうちいずれか一方のアンテナを第１の無線システムに対して選択的に接続することができるから、例えば送信状態、受信状態の良好なアンテナに対して第１の無線システムを接続することができ、アンテナダイバーシチを行うことができる。
【００２８】
同様に、第２の無線システムのみを使用するときには、第２のアンテナ側スイッチおよび第２の回路側スイッチを用いて第２の送受信分離回路を第２のアンテナに接続することができ、または第１の経路を用いて第２の送受信分離回路を第１のアンテナに接続することができる。このため、第２の無線システムに対しても、アンテナダイバーシチを行うことができる。
【００２９】
さらに、第１，第２の無線システムを第１，第２のアンテナのいずれに接続するときでも、無線システムとアンテナとの間を２個のスイッチを用いて接続することができる。このため、３個以上のスイッチを用いて接続する場合に比べて、途中のスイッチの個数を減少させることができ、伝送損失を低減することができる。
【００３０】
請求項４の発明によれば、第１，第２の経路の途中には第１，第２の整合回路をそれぞれ設ける構成としたから、第１の整合回路を用いて第１のアンテナと第２の送受信分離回路との間を整合させることができ、第２の整合回路を用いて第２のアンテナと第１の送受信分離回路との間を整合させることができる。これにより、第１，第２の送受信分離回路を第１，第２のアンテナのいずれに接続したときでも、これらの間の整合性を高めることができ、損失を低減して、アンテナ効率、アンテナ利得を向上することができる。
【００３１】
請求項５の発明によれば、第１，第２の無線システムのうちいずれか一方の無線システムを使用するときには、スイッチ回路は不使用のアンテナを短絡、開放または一定のインピーダンスに接続する構成としている。このとき、第１，第２のアンテナは相互に影響し合うから、不使用のアンテナの影響で、使用中のアンテナの特性（例えば、利得、指向性等）が悪くなる場合がある。これに対し、スイッチ回路は不使用のアンテナを短絡、開放または一定のインピーダンスに接続するから、例えば使用中のアンテナに対して最も影響が少ない状態となるように、不使用のアンテナのインピーダンス条件を設定することができる。
【００３２】
請求項６の発明によれば、第１，第２の無線システムのうちいずれか一方の無線システムを使用するときには、スイッチ回路は不使用の送受信分離回路を一定のインピーダンスに接続する構成としている。このとき、例えば不使用の送受信分離回路を開放状態にしたときには、当該送受信分離回路に接続された無線システムの動作が不安定になり、他の無線システム等に影響を及ぼす場合がある。これに対し、スイッチ回路は不使用の送受信分離回路を一定のインピーダンスに接続するから、例えば使用中の無線システムに対して最も影響が少ない状態となるように、不使用の送受信分離回路のインピーダンス条件を安定させることができる。特に、不使用の送受信分離回路を当該送受信分離回路のアンテナ側のポート（共通ポート）と同じ値のインピーダンスで終端した方が不使用の無線システムは安定するから、使用中の無線システムに対する影響を軽減し易い傾向がある。
【発明を実施するための最良の形態】
【００３３】
以下、本発明の実施の形態による無線通信装置としてＷ−ＣＤＭＡ方式とＧＳＭ方式の２つの無線システムを備えたデュアルモード対応の携帯無線機（携帯端末）を例に挙げ、添付図面を参照して詳細に説明する。
【００３４】
まず、図１ないし図６は本発明の第１の実施の形態による携帯無線機を示し、図において、１はベースバンド処理部で、該ベースバンド処理部１は、例えば送信時にはベースバンド信号（ディジタル信号）を用いてＩ信号（同相信号）とＱ信号（直交信号）とを生成すると共に、受信時にはＩ信号とＱ信号からベースバンド信号を復調する。
【００３５】
２はベースバンド処理部１に接続されＷ−ＣＤＭＡ側の変復調を行う第１の無線システムで、該無線システム２は、例えば送信側に設けられＩ信号とＱ信号とを用いて第１の送信用無線信号ＲＦ1tを出力する送信部２Ａと、受信側に設けられ第１の受信用無線信号ＲＦ1rからＩ信号とＱ信号を復調する受信部２Ｂとによって構成されている。このとき、第１の送信用無線信号ＲＦ1tと第１の受信用無線信号ＲＦ1rとは、例えば互いに周波数帯が異なり、後述の共用器３を用いて合波、分波が可能となっている。
【００３６】
３は無線システム２に接続された第１の送受信分離回路としての共用器で、該共用器３は、送信部２Ａ、受信部２Ｂに接続されると共に、後述のスイッチ回路８を介して第１、第２のアンテナ６，７に接続される構成となっている。そして、共用器３は、無線システム２側の送受信ポートとアンテナ６，７側の共通ポートとを備えると共に、例えば複数のフィルタからなるダイプレクサ等によって構成され、送信用無線信号ＲＦ1tと受信用無線信号ＲＦ1rとを分離している。
【００３７】
４はベースバンド処理部１に接続されＧＳＭ側の変復調を行う第２の無線システムで、該無線システム４は、例えば送信側に設けられＩ信号とＱ信号とを用いて第２の送信用無線信号ＲＦ2tを出力する送信部４Ａと、受信側に設けられ第２の受信用無線信号ＲＦ2rからＩ信号とＱ信号を復調する受信部４Ｂとによって構成されている。このとき、第２の送信用無線信号ＲＦ2tと第２の受信用無線信号ＲＦ2rとは、例えば同じ周波数帯の信号を時分割されることによって構成され、後述の送受信切換器５を用いて送信動作、受信動作が短時間で何度も切換えられるものである。
【００３８】
５は無線システム４に接続された第２の送受信分離回路としての送受信切換器で、該送受信切換器５は、送信部４Ａ、受信部４Ｂに接続されると共に、後述のスイッチ回路８を介して第１、第２のアンテナ６，７に接続される構成となっている。そして、送受信切換器５は、無線システム４側の送受信ポートとアンテナ６，７側の共通ポートとを備えると共に、例えばアンテナ側に対して送信部４Ａ、受信部４Ｂとを選択的に接続するスイッチ等によって構成され、送信用無線信号ＲＦ2tの送信と受信用無線信号ＲＦ2rの受信とを高速に何回も切換える。
【００３９】
６，７は第１，第２の送信用無線信号ＲＦ1t，ＲＦ2tを外部に送信し、第１，第２の受信用無線信号ＲＦ1r，ＲＦ2rを外部から受信する第１，第２のアンテナで、該各アンテナ６，７は、例えば送信用無線信号ＲＦ1t，ＲＦ2t、受信用無線信号ＲＦ1r，ＲＦ2rのいずれに対しても共振可能（使用可能）に形成されている。そして、アンテナ６，７は、後述のスイッチ回路８を介して、第１，第２の無線システム２，４（共用器３、送受信切換器５）に接続される構成となっている。
【００４０】
８は共用器３、送受信切換器５とアンテナ６，７との間に設けられたスイッチ回路で、該スイッチ回路８は、後述する第１のアンテナ側スイッチ９、第１の回路側スイッチ１０、第２のアンテナ側スイッチ１１、第２の回路側スイッチ１２、第１，第２の経路１３，１４等によって構成されている。そして、スイッチ回路８は、共用器３、送受信切換器５に接続されるアンテナ６，７を切換えるものである。
【００４１】
９，１０は第１のアンテナ６と共用器３との間に直列に設けられた第１のアンテナ側スイッチおよび第１の回路側スイッチをそれぞれ示している。ここで、アンテナ側スイッチ９は、アンテナ６に接続された共通ポートを有すると共に、第１の回路側スイッチ１０と第１の経路１３とにそれぞれ接続された他の２つのポートを有している。これにより、アンテナ側スイッチ９は、アンテナ６を第１の回路側スイッチ１０と第１の経路１３とに選択的に接続している。
【００４２】
一方、回路側スイッチ１０は、共用器３に接続された共通ポートを有すると共に、第１のアンテナ側スイッチ９と第２の経路１４とにそれぞれ接続された他の２つのポートを有している。これにより、回路側スイッチ１０は、共用器３を第１のアンテナ側スイッチ９と第２の経路１４とに選択的に接続している。
【００４３】
１１，１２は第２のアンテナ７と送受信切換器５との間に直列に設けられた第２のアンテナ側スイッチおよび第２の回路側スイッチをそれぞれ示している。ここで、アンテナ側スイッチ１１は、回路側スイッチ１２に接続された共通ポートを有すると共に、第２のアンテナ７と第１の経路１３とにそれぞれ接続された他の２つのポートを有している。これにより、アンテナ側スイッチ１１は、回路側スイッチ１２を第２のアンテナ７と第１の経路１３とに選択的に接続している。
【００４４】
一方、回路側スイッチ１２は、アンテナ側スイッチ１１に接続された共通ポートを有すると共に、送受信切換器５と第２の経路１４とにそれぞれ接続された他の２つのポートを有している。これにより、回路側スイッチ１２は、アンテナ側スイッチ１１を送受信切換器５と第２の経路１４とに選択的に接続している。
【００４５】
１３は第１，第２のアンテナ側スイッチ９，１１の間に設けられた第１の経路で、該経路１３は、第１のアンテナ側スイッチ９を用いて第１のアンテナ６に接続されると共に、第２のアンテナ側スイッチ１１および第２の回路側スイッチ１２を用いて送受信切換器５に接続される。これにより、第１の経路１３は、第１のアンテナ６と送受信切換器５とを接続する構成となっている。
【００４６】
１４は第１，第２の回路側スイッチ１０，１２の間に設けられた第２の経路で、該経路１４は、第１の回路側スイッチ１０を用いて共用器３に接続されると共に、第２のアンテナ側スイッチ１１および第２の回路側スイッチ１２を用いて第２のアンテナ７に接続される。これにより、第２の経路１４は、第２のアンテナ７と共用器３とを接続する構成となっている。
【００４７】
１５はスイッチ回路８の各スイッチ９〜１２の切換えを制御するアンテナ切換制御回路で、該アンテナ切換制御回路１５は、例えばベースバンド処理部１等に接続され、ベースバンド処理部１から出力されるデュアルモード、シングルモード等を選択する制御信号に基づいて、各スイッチ９〜１２の切換えを制御する。そして、アンテナ切換制御回路１５は、第１，第２の無線システム２，４を同時に使用するとき（デュアルモード使用時）には、図２に示すように、第１のアンテナ側スイッチ９および第１の回路側スイッチ１０を用いて共用器３を第１のアンテナ６に接続すると共に、第２のアンテナ側スイッチ１１および第２の回路側スイッチ１２を用いて送受信切換器５を第２のアンテナ７に接続する。
【００４８】
また、第１の無線システム２のみを使用するとき（シングルモード使用時）には、アンテナ切換制御回路１５は、無線システム２を第１，第２のアンテナ６，７のいずれか一方に選択的に接続するように各スイッチ９〜１２を切換える。
【００４９】
即ち、第１の無線システム２を第１のアンテナ６に接続するときには、アンテナ切換制御回路１５は、図３に示すように、第１のアンテナ側スイッチ９および第１の回路側スイッチ１０を用いて共用器３を第１のアンテナ６に接続する。このとき、第２のアンテナ側スイッチ１１および第２の回路側スイッチ１２はいずれも開成状態に保持する。
【００５０】
一方、第１の無線システム２を第２のアンテナ７に接続するときには、アンテナ切換制御回路１５は、図４に示すように、第２のアンテナ側スイッチ１１を用いて第２のアンテナ７を第２の回路側スイッチ１２に接続すると共に、第１，第２の回路側スイッチ１０，１２を第２の経路１４に接続する。これにより、第２のアンテナ側スイッチ１１、第２の回路側スイッチ１２、第２の経路１４、第１の回路側スイッチ１０を介して、第２のアンテナ７は共用器３に接続される。このとき、第１のアンテナ側スイッチ９は開成状態に保持する。
【００５１】
同様に、第２の無線システム４のみを使用するとき（シングルモード使用時）には、アンテナ切換制御回路１５は、無線システム４を第１，第２のアンテナ６，７のいずれか一方に選択的に接続するように各スイッチ９〜１２を切換える。
【００５２】
即ち、第２の無線システム４を第２のアンテナ７に接続するときには、アンテナ切換制御回路１５は、図５に示すように、第２のアンテナ側スイッチ１１および第２の回路側スイッチ１２を用いて送受信切換器５を第２のアンテナ７に接続する。このとき、第１のアンテナ側スイッチ９および第１の回路側スイッチ１０はいずれも開成状態に保持する。
【００５３】
一方、第２の無線システム４を第１のアンテナ６に接続するときには、アンテナ切換制御回路１５は、図６に示すように、第１，第２のアンテナ側スイッチ９，１１を第１の経路１３に接続すると共に、第２の回路側スイッチ１２を送受信切換器５に接続する。これにより、第１のアンテナ側スイッチ９、第１の経路１３、第２のアンテナ側スイッチ１１、第２の回路側スイッチ１２を介して、第１のアンテナ６は送受信切換器５に接続される。このとき、第１の回路側スイッチ１０は開成状態に保持する。
【００５４】
なお、アンテナ切換制御回路１５は、シングルモード使用時には、例えば第１，第２のアンテナ６，７のうち送信状態、受信状態が良好なアンテナを適宜選択する構成となっている。
【００５５】
本実施の形態によるデュアルモード対応の携帯無線機は上述のように構成されるものであり、次にその作動について説明する。
【００５６】
まず、第１，第２の無線システム２，４を同時に使用するとき（デュアルモード使用時）には、図２に示すように、アンテナ切換制御回路１５は、第１のアンテナ側スイッチ９および第１の回路側スイッチ１０を用いて共用器３を第１のアンテナ６に接続すると共に、第２のアンテナ側スイッチ１１および第２の回路側スイッチ１２を用いて送受信切換器５を第２のアンテナ７に接続する。
【００５７】
これにより、第１の無線システム２は、共用器３を介して第１のアンテナ６に向けて出力し、アンテナ６を用いて第１の送信用無線信号ＲＦ1tを送信する。また、アンテナ６が第１の受信用無線信号ＲＦ1rを受信したときには、第１の無線システム２には、該第１の受信用無線信号ＲＦ1rが共用器３を介して入力される。
【００５８】
一方、第２の無線システム４は、送受信切換器５が送信部４Ａに接続したときには、第２の送信用無線信号ＲＦ2tを第２のアンテナ７に向けて出力し、アンテナ７を用いて第２の送信用無線信号ＲＦ2tを送信する。また、送受信切換器５が受信部４Ｂに接続したときには、第２の無線システム４には、アンテナ７から受信した第２の受信用無線信号ＲＦ2rが入力される。
【００５９】
次に、第１の無線システム２のみを使用するとき（シングルモード使用時）には、アンテナ切換制御回路１５は、無線システム２を第１，第２のアンテナ６，７のいずれか一方に選択的に接続するように各スイッチ９〜１２を切換える。
【００６０】
具体的には、第１の無線システム２を第１のアンテナ６に接続するときには、第１のアンテナ側スイッチ９および第１の回路側スイッチ１０を用いて共用器３を第１のアンテナ６に接続する。これにより、第１の無線システム２は、第１のアンテナ６を用いて、第１の送信用無線信号ＲＦ1tを送信し、第１の受信用無線信号ＲＦ1rを受信する。
【００６１】
一方、第１の無線システム２を第２のアンテナ７に接続するときには、第２のアンテナ側スイッチ１１、第２の回路側スイッチ１２、第２の経路１４、第１の回路側スイッチ１０を用いて、共用器３を第２のアンテナ７に接続する。これにより、第１の無線システム２は、第２のアンテナ７を用いて、第１の送信用無線信号ＲＦ1tを送信し、第１の受信用無線信号ＲＦ1rを受信する。
【００６２】
次に、第２の無線システム４のみを使用するとき（シングルモード使用時）には、アンテナ切換制御回路１５は、無線システム４を第１，第２のアンテナ６，７のいずれか一方に選択的に接続するように各スイッチ９〜１２を切換える。
【００６３】
具体的には、第２の無線システム４を第２のアンテナ７に接続するときには、第２のアンテナ側スイッチ１１および第２の回路側スイッチ１２を用いて送受信切換器５を第２のアンテナ７に接続する。これにより、第２の無線システム４は、第２のアンテナ７を用いて、第２の送信用無線信号ＲＦ2tを送信し、第２の受信用無線信号ＲＦ2rを受信する。
【００６４】
一方、第２の無線システム４を第１のアンテナ６に接続するときには、第１のアンテナ側スイッチ９、第１の経路１３、第２のアンテナ側スイッチ１１、第２の回路側スイッチ１２を用いて、送受信切換器５を第１のアンテナ６に接続する。これにより、第２の無線システム４は、第１のアンテナ６を用いて、第２の送信用無線信号ＲＦ2tを送信し、第２の受信用無線信号ＲＦ2rを受信する。
【００６５】
かくして、本実施の形態では、第１，第２のアンテナ６，７と共用器３、送受信切換器５との間にはスイッチ回路８を設けたから、第１，第２の無線システム２，４を同時に使用するときには、スイッチ回路８を用いて共用器３、送受信切換器５を互いに異なる第１，第２のアンテナ６，７にそれぞれ接続することができる。これにより、第１，第２の無線システム２，４は、別々のアンテナ６，７を用いて同時に送信、受信を行うことができる。
【００６６】
また、第１，第２の無線システム２，４を同時に使用するときでも、共用器３、送受信切換器５を互いに異なるアンテナ６，７に接続するから、例えば単一のアンテナに対して２つの無線システムを接続した場合のように、単一のアンテナから受信した信号を第１，第２の無線システム２，４に対して振り分ける必要がない。このため、第１，第２の無線システム２，４で用いる第１の無線信号ＲＦ1t，ＲＦ1rと第２の無線信号ＲＦ2t，ＲＦ2rとが互いに近い周波数帯であっても、第１，第２の無線システム２，４を用いて同時に受信することができる。
【００６７】
一方、第１の無線システム２だけ使用するときには、スイッチ回路８を用いて共用器３を第１，第２のアンテナ６，７のいずれか一方に接続することができる。また、第２の無線システム４だけ使用するときには、スイッチ回路８を用いて送受信切換器５を第１，第２のアンテナ６，７のいずれか一方に接続することができる。これにより、例えば第１，第２のアンテナ６，７のうち送信状態や受信状態のよいアンテナに対して無線システム２，４を接続することができ、各無線システム２，４に対してスイッチ回路８を用いてアンテナダイバーシチを行うことができる。
【００６８】
また、第１，第２の無線システム２，４には共用器３、送受信切換器５をそれぞれ接続して設けたから、第１，第２の無線システム２，４は、共用器３、送受信切換器５を用いて送信動作と受信動作とを切換えることができる。このため、第１，第２の無線システム２，４は第１，第２のアンテナ６，７のいずれか一方（単一のアンテナ）を用いて送信、受信を行うことができ、送信用アンテナと受信用アンテナとを区別する必要がない。この結果、無線システム２，４は例えばＣＤＭＡ、ＴＤＭＡ等の方式に依存しなくなるから、各種の方式の無線システム２，４を用いてデュアルモード使用やシングルモード使用を行うことができる。
【００６９】
次に、図７は本発明による第２の実施の形態による携帯無線機を示し、本実施の形態の特徴は、第１のアンテナ側スイッチと第２の回路側スイッチとの間に第１の経路を設けると共に、第２のアンテナ側スイッチと第１の回路側スイッチとの間に第２の経路とを設ける構成としたことにある。なお、本実施の形態では前記第１の実施の形態と同一の構成要素に同一の符号を付し、その説明を省略するものとする。
【００７０】
２１は本実施の形態によるスイッチ回路で、該スイッチ回路２１は、第１の実施の形態によるスイッチ回路８とほぼ同様に、共用器３、送受信切換器５とアンテナ６，７との間に設けられている。また、スイッチ回路２１は、後述する第１のアンテナ側スイッチ２２、第１の回路側スイッチ２３、第２のアンテナ側スイッチ２４、第２の回路側スイッチ２５、第１，第２の経路２６，２７等によって構成されている。そして、スイッチ回路２１は、共用器３、送受信切換器５に接続されるアンテナ６，７を切換えるものである。
【００７１】
２２，２３は第１のアンテナ６と共用器３との間に直列に設けられた第１のアンテナ側スイッチおよび第１の回路側スイッチをそれぞれ示している。ここで、アンテナ側スイッチ２２は、アンテナ６に接続された共通ポートを有すると共に、第１の回路側スイッチ２３と第１の経路２６とにそれぞれ接続された他の２つのポートを有している。これにより、アンテナ側スイッチ２２は、アンテナ６を第１の回路側スイッチ２３と第１の経路２６とに選択的に接続している。
【００７２】
一方、回路側スイッチ２３は、共用器３に接続された共通ポートを有すると共に、第１のアンテナ側スイッチ２２と第２の経路２７とにそれぞれ接続された他の２つのポートを有している。これにより、回路側スイッチ２３は、共用器３を第１のアンテナ側スイッチ２２と第２の経路２７とに選択的に接続している。
【００７３】
２４，２５は第２のアンテナ７と送受信切換器５との間に直列に設けられた第２のアンテナ側スイッチおよび第２の回路側スイッチをそれぞれ示している。ここで、アンテナ側スイッチ２４は、アンテナ７に接続された共通ポートを有すると共に、第２の回路側スイッチ２５と第２の経路２７とにそれぞれ接続された他の２つのポートを有している。これにより、アンテナ側スイッチ２４は、アンテナ７を第２の回路側スイッチ２５と第２の経路２７とに選択的に接続している。
【００７４】
一方、回路側スイッチ２５は、送受信切換器５に接続された共通ポートを有すると共に、第２のアンテナ側スイッチ２４と第１の経路２６とにそれぞれ接続された他の２つのポートを有している。これにより、回路側スイッチ２５は、送受信切換器５を第２のアンテナ側スイッチ２４と第１の経路２６とに選択的に接続している。
【００７５】
２６は第１のアンテナ側スイッチ２２と第２の回路側スイッチ２５との間に設けられた第１の経路で、該経路２６は、第１のアンテナ側スイッチ２２を用いて第１のアンテナ６に接続されると共に、第２の回路側スイッチ２５を用いて送受信切換器５に接続される。これにより、第１の経路２６は、第１のアンテナ６と送受信切換器５とを接続する構成となっている。
【００７６】
２７は第２のアンテナ側スイッチ２４と第１の回路側スイッチ２３の間に設けられた第２の経路で、該経路２７は、第２のアンテナ側スイッチ２４を用いて第２のアンテナ７に接続されると共に、第１の回路側スイッチ２３を用いて共用器３に接続される。これにより、第２の経路２７は、第２のアンテナ７と共用器３とを接続する構成となっている。
【００７７】
２８はスイッチ回路２１の各スイッチ２２〜２５の切換えを制御するアンテナ切換制御回路で、該アンテナ切換制御回路２８は、第１の実施の形態によるアンテナ切換制御回路１５とほぼ同様に、例えばベースバンド処理部１等に接続され、ベースバンド処理部１から出力されるデュアルモード、シングルモード等を選択する制御信号に基づいて、各スイッチ２２〜２５の切換えを制御する。そして、アンテナ切換制御回路２８は、第１，第２の無線システム２，４を同時に使用するとき（デュアルモード使用時）には、第１のアンテナ側スイッチ２２および第１の回路側スイッチ２３を用いて共用器３を第１のアンテナ６に接続すると共に、第２のアンテナ側スイッチ２４および第２の回路側スイッチ２５を用いて送受信切換器５を第２のアンテナ７に接続する。
【００７８】
また、アンテナ切換制御回路２８は、デュアルモード使用時の他の接続状態として、第２のアンテナ側スイッチ２４、第２の経路２７および第１の回路側スイッチ２３を用いて共用器３を第２のアンテナ７に接続すると共に、第１のアンテナ側スイッチ２２、第１の経路２６および第２の回路側スイッチ２５を用いて送受信切換器５を第１のアンテナ６に接続することもできる。
【００７９】
一方、第１の無線システム２のみを使用するとき（シングルモード使用時）には、アンテナ切換制御回路２８は、無線システム２を第１，第２のアンテナ６，７のいずれか一方に選択的に接続するように各スイッチ２２〜２５を切換える。
【００８０】
即ち、第１の無線システム２を第１のアンテナ６に接続するときには、アンテナ切換制御回路２８は、第１のアンテナ側スイッチ２２および第１の回路側スイッチ２３を用いて共用器３を第１のアンテナ６に接続する。このとき、第２のアンテナ側スイッチ２４および第２の回路側スイッチ２５はいずれも開成状態に保持する。
【００８１】
また、第１の無線システム２を第２のアンテナ７に接続するときには、アンテナ切換制御回路２８は、第２のアンテナ側スイッチ２４、第１の回路側スイッチ２３を第２の経路２７に接続する。これにより、第２のアンテナ側スイッチ２４、第２の経路２７、第１の回路側スイッチ２３を介して、第２のアンテナ７を共用器３に接続する。このとき、第１のアンテナ側スイッチ２２および第２の回路側スイッチ２５はいずれも開成状態に保持する。
【００８２】
同様に、第２の無線システム４のみを使用するとき（シングルモード使用時）には、アンテナ切換制御回路２８は、無線システム４を第１，第２のアンテナ６，７のいずれか一方に選択的に接続するように各スイッチ２２〜２５を切換える。
【００８３】
即ち、第２の無線システム４を第２のアンテナ７に接続するときには、アンテナ切換制御回路２８は、第２のアンテナ側スイッチ２４および第２の回路側スイッチ２５を用いて送受信切換器５を第２のアンテナ７に接続する。このとき、第１のアンテナ側スイッチ２２および第１の回路側スイッチ２３はいずれも開成状態に保持する。
【００８４】
また、第２の無線システム４を第１のアンテナ６に接続するときには、アンテナ切換制御回路２８は、第１のアンテナ側スイッチ２２、第２の回路側スイッチ２５を第１の経路２６に接続する。これにより、第１のアンテナ側スイッチ２２、第１の経路２６、第２の回路側スイッチ２５を介して、第１のアンテナ６を送受信切換器５に接続する。このとき、第２のアンテナ側スイッチ２４および第１の回路側スイッチ２３はいずれも開成状態に保持する。
【００８５】
なお、アンテナ切換制御回路２８は、シングルモード使用時には、例えば第１，第２のアンテナ６，７のうち送信状態、受信状態が良好なアンテナを適宜選択する構成となっている。
【００８６】
かくして、本実施の形態でも、第１の実施の形態とほぼ同様な作用効果を得ることができる。特に、本実施の形態では、第１のアンテナ側スイッチ２２と第２の回路側スイッチ２５との間に第１の経路２６を設け、第２のアンテナ側スイッチ２４と第１の回路側スイッチ２３との間に第２の経路２７を設ける構成としたから、デュアルモード使用時には、共用器３を第１のアンテナ６に接続し、送受信切換器５を第２のアンテナ７に接続できるのに加え、共用器３を第２のアンテナ７に接続し、送受信切換器５を第１のアンテナ６に接続することができる。この結果、シングルモード使用時からデュアルモード使用時に移行する場合に、例えば第１の無線システム２が第２のアンテナ７に接続された状態であっても、この接続状態を維持しつつ第２の無線システム４を第１のアンテナ６に接続することができる。このため、シングルモードで使用していた一方の無線システム（例えば、第１の無線システム２）の通信状態を中断することなく、デュアルモードの使用状態に移行することができる。
【００８７】
また、第１の無線システム２だけ使用するときには、スイッチ回路２１を用いて共用器３を第１，第２のアンテナ６，７のいずれか一方に接続することができる。同様に、第２の無線システム４だけ使用するときには、スイッチ回路２１を用いて送受信切換器５を第１，第２のアンテナ６，７のいずれか一方に接続することができる。これにより、例えば第１，第２のアンテナ６，７のうち送信状態や受信状態のよいアンテナに対して無線システム２，４を接続することができ、各無線システム２，４に対してスイッチ回路２１を用いてアンテナダイバーシチを行うことができる。
【００８８】
さらに、第１，第２の無線システム２，４を第１，第２のアンテナ６，７のいずれに接続するときでも、無線システム２，４とアンテナ６，７との間を２個のスイッチを用いて接続することができる。このため、第１の実施の形態のように、３個以上のスイッチを用いて無線システム２，４とアンテナ６，７との間を接続する場合に比べて、途中のスイッチの個数を減少させることができ、これらの間の伝送損失を低減することができる。
【００８９】
次に、図８は本発明による第３の実施の形態による携帯無線機を示し、本実施の形態の特徴は、第１，第２の経路の途中に整合回路を設けたことにある。なお、本実施の形態では前記第１の実施の形態と同一の構成要素に同一の符号を付し、その説明を省略するものとする。
【００９０】
３１は第１の経路１３の途中に設けられた第１の整合回路で、該整合回路３１は、第１のアンテナ６と送受信切換器５との間を整合させるものである。
【００９１】
３２は第２の経路１４の途中に設けられた第２の整合回路で、該整合回路３２は、第２のアンテナ７と共用器３との間を整合させるものである。
【００９２】
かくして、本実施の形態でも、第１の実施の形態とほぼ同様な作用効果を得ることができる。特に、本実施の形態では、第１，第２の経路１３，１４の途中には第１，第２の整合回路３１，３２をそれぞれ設ける構成としたから、第１の整合回路３１を用いて第１のアンテナ６と送受信切換器５との間を整合させることができ、第２の整合回路３２を用いて第２のアンテナ７と共用器３との間を整合させることができる。これにより、共用器３、送受信切換器５を第１，第２のアンテナ６，７のいずれに接続したときでも、これらの間の整合性を高めることができ、損失を低減して、アンテナ効率、アンテナ利得を向上することができる。
【００９３】
なお、前記第３の実施の形態では、第１の実施の形態による第１，第２の経路１３，１４の途中に第１，第２の整合回路３１，３２を設ける構成とした。しかし、本発明はこれに限らず、例えば第２の実施の形態による第１，第２の経路２６，２７の途中に第１，第２の整合回路を設ける構成としてもよい。
【００９４】
次に、図９は本発明による第４の実施の形態による携帯無線機を示し、本実施の形態の特徴は、第１，第２のアンテナのうち不使用のアンテナを一定のインピーダンスで終端すると共に、共用器３、送受信切換器５のうち不使用のものも一定のインピーダンスで終端する構成としたことにある。なお、本実施の形態では前記第１の実施の形態と同一の構成要素に同一の符号を付し、その説明を省略するものとする。
【００９５】
４１は本実施の形態によるスイッチ回路で、該スイッチ回路４１は、第１の実施の形態によるスイッチ回路８とほぼ同様に、共用器３、送受信切換器５とアンテナ６，７との間に設けられている。また、スイッチ回路４１は、第１の実施の形態による第１のアンテナ側スイッチ９、第１の回路側スイッチ１０、第２のアンテナ側スイッチ１１、第２の回路側スイッチ１２、第１，第２の経路１３，１４を備えると共に、後述するアンテナ終端スイッチ４２，４４、回路終端スイッチ４３，４５を備えている。そして、スイッチ回路４１は、共用器３、送受信切換器５に接続されるアンテナ６，７を切換えるものである。
【００９６】
４２は第１のアンテナ６と第１のアンテナ側スイッチ９との間に設けられた第１のアンテナ終端スイッチで、該アンテナ終端スイッチ４２は、アンテナ６に対して第１，第２の無線システム２，４のいずれか一方を接続するときには、アンテナ６とアンテナ側スイッチ９との間を接続し、アンテナ６に対して無線システム２，４を両方とも接続しないときには、アンテナ６を例えばアンテナ６と同じ値のインピーダンスＺ1に接続（終端）する。
【００９７】
４３は共用器３と第１の回路側スイッチ１０との間に設けられた第１の回路終端スイッチで、該回路終端スイッチ４３は、共用器３をアンテナ６，７のいずれか一方に接続するときには、共用器３と回路側スイッチ１０との間を接続し、共用器３をアンテナ６，７のいずれにも接続しないときには、共用器３を例えば共用器３の共通ポートと同じ値のインピーダンスＺ2に接続（終端）する。
【００９８】
４４は第２のアンテナ７と第２のアンテナ側スイッチ１１との間に設けられた第２のアンテナ終端スイッチで、該アンテナ終端スイッチ４４は、アンテナ７に対して第１，第２の無線システム２，４のいずれか一方を接続するときには、アンテナ側スイッチ９とアンテナ６との間を接続し、アンテナ７に対して無線システム２，４を両方とも接続しないときには、アンテナ７を例えばアンテナ７と同じ値のインピーダンスＺ3に接続（終端）する。
【００９９】
４５は送受信切換器５と第２の回路側スイッチ１２との間に設けられた第２の回路終端スイッチで、該回路終端スイッチ４５は、送受信切換器５をアンテナ６，７のいずれか一方に接続するときには、送受信切換器５と回路側スイッチ１２との間を接続し、送受信切換器５をアンテナ６，７のいずれにも接続しないときには、送受信切換器５を例えば送受信切換器５の共通ポート（アンテナ６，７側のポート）と同じ値のインピーダンスＺ4に接続（終端）する。
【０１００】
４６はスイッチ回路４１の各スイッチ９〜１２、４２〜４５の切換えを制御するアンテナ切換制御回路で、該アンテナ切換制御回路４６は、第１の実施の形態によるアンテナ切換制御回路１５とほぼ同様に、例えばベースバンド処理部１等に接続され、ベースバンド処理部１から出力されるデュアルモード、シングルモード等を選択する制御信号に基づいて、各スイッチ９〜１２、４２〜４５の切換えを制御する。そして、アンテナ切換制御回路４６は、第１，第２の無線システム２，４を同時に使用するとき（デュアルモード使用時）には、アンテナ側スイッチ９、回路側スイッチ１０、アンテナ終端スイッチ４２および回路終端スイッチ４３を用いて共用器３を第１のアンテナ６に接続すると共に、アンテナ側スイッチ１１、回路側スイッチ１２、アンテナ終端スイッチ４４および回路終端スイッチ４５を用いて送受信切換器５を第２のアンテナ７に接続する。
【０１０１】
また、第１の無線システム２のみを使用するとき（シングルモード使用時）には、アンテナ切換制御回路４６は、無線システム２を第１，第２のアンテナ６，７のいずれか一方に選択的に接続するように各スイッチ９〜１２を切換える。このとき、回路終端スイッチ４５は不使用となる無線システム４側の送受信切換器５をインピーダンスＺ4に接続する。
【０１０２】
そして、無線システム２をアンテナ６に接続したときには、アンテナ終端スイッチ４４は不使用のアンテナ７をインピーダンスＺ3に接続し、無線システム２をアンテナ７に接続したときには、アンテナ終端スイッチ４２は不使用のアンテナ６をインピーダンスＺ1に接続する。
【０１０３】
一方、第２の無線システム４のみを使用するとき（シングルモード使用時）には、アンテナ切換制御回路４６は、無線システム４を第１，第２のアンテナ６，７のいずれか一方に選択的に接続するように各スイッチ９〜１２を切換える。このとき、回路終端スイッチ４３は不使用となる無線システム２側の共用器３をインピーダンスＺ2に接続する。
【０１０４】
そして、無線システム４をアンテナ６に接続したときには、アンテナ終端スイッチ４４は不使用のアンテナ７をインピーダンスＺ3に接続し、無線システム４をアンテナ７に接続したときには、アンテナ終端スイッチ４２は不使用のアンテナ６をインピーダンスＺ1に接続する。
【０１０５】
なお、アンテナ切換制御回路４６は、例えばアナログ制御を行うときには、第１の実施の形態によるアンテナ切換制御回路１５に比べて、制御線を増やすことによって対応することができる。一方、アンテナ切換制御回路４６は、ディジタル制御を行うときには、ｂｉｔを増やすことによって対応することができる。
【０１０６】
かくして、本実施の形態でも、第１の実施の形態とほぼ同様な作用効果を得ることができる。特に、本実施の形態では、第１，第２の無線システム２，４のうちいずれか一方を使用するシングルモード使用時には、スイッチ回路４１はアンテナ６，７のうち不使用のものを一定のインピーダンスＺ1，Ｚ3に接続する構成としている。
【０１０７】
このとき、第１，第２のアンテナ６，７は相互に影響し合うから、例えばアンテナ６だけを使用しているときには、不使用のアンテナ７の影響で使用中のアンテナ６の特性（例えば、利得、指向性等）が悪くなることがある。同様に、アンテナ７だけを使用しているときには、アンテナ６の影響でアンテナ７の特性が悪化することがある。
【０１０８】
これに対し、スイッチ回路４１はアンテナ６，７のうち不使用のものを一定のインピーダンスＺ1，Ｚ3に接続する。このとき、使用中のアンテナに対して最も影響が少ない状態（仮に、影響があっても動作上問題にならない状態）となるように、不使用のアンテナのインピーダンス条件（インピーダンスＺ1，Ｚ3の値）を予め調べておく。これにより、不使用のアンテナのインピーダンス条件を、使用中のアンテナに影響しないように設定することができる。
【０１０９】
また、第１，第２の無線システム２，４のうちいずれか一方を使用するシングルモード使用時には、スイッチ回路４１は共用器３、送受信切換器５のうち不使用のものを一定のインピーダンスＺ2，Ｚ4に接続する構成としている。このとき、例えば不使用の共用器３、送受信切換器５を開放状態にしたときには、当該共用器３、送受信切換器５に接続された無線システム２，４の動作が不安定になり、他の無線システム４，２等に影響を及ぼす場合がある。
【０１１０】
これに対し、スイッチ回路４１は不使用の共用器３、送受信切換器５を一定のインピーダンスＺ2，Ｚ4に接続するから、例えば使用中の無線システムに対して最も影響が少ない状態となるように、不使用の共用器３、送受信切換器５のインピーダンス条件を安定させることができる。特に、不使用の共用器３、送受信切換器５をその共通ポートと同じ値のインピーダンスＺ2，Ｚ4で終端したから、不使用の無線システム２，４を安定させることができ、使用中の無線システム４，２に対する影響を低減することができる。
【０１１１】
なお、前記第４の実施の形態では、アンテナ側スイッチ９，１１とは別個に設けたアンテナ終端スイッチ４２，４４を用いて不使用のアンテナ６，７をインピーダンスＺ1，Ｚ3に接続する構成とした。また、前記第４の実施の形態では、回路側スイッチ１０，１２とは別個に設けた回路終端スイッチ４３，４５を用いて不使用の共用器３、送受信切換器５をインピーダンスＺ2，Ｚ4に接続する構成とした。しかし、本発明はこれに限らず、例えば図１０に示す第１の変形例のように、第２の実施の形態と同様のスイッチ回路２１′を用いるときには、アンテナ側スイッチ２２′，２４′を用いて不使用のアンテナ６，７をインピーダンスＺ1，Ｚ3に接続し、回路側スイッチ２３′，２５′を用いて不使用の共用器３、送受信切換器５をインピーダンスＺ2，Ｚ4に接続する構成としてもよい。
【０１１２】
また、前記第４の実施の形態では、アンテナ６，７と同じ値のインピーダンスＺ1，Ｚ3に対して不使用のアンテナ６，７を接続する構成とした。しかし、本発明はこれに限らず、例えば各アンテナと異なる値のインピーダンスに対して不使用のアンテナを接続する構成としてよく、不使用のアンテナを短絡または開放する構成としてもよい。
【０１１３】
また、前記第４の実施の形態では、不使用のアンテナ６，７と不使用の共用器３、送受信切換器５をいずれもインピーダンスＺ1〜Ｚ4に接続する構成としたが、例えば不使用のアンテナ６，７だけインピーダンスＺ1，Ｚ3に接続する構成としてもよく、不使用の共用器３，５だけインピーダンスＺ2，Ｚ4に接続する構成としてもよい。
【０１１４】
また、前記各実施の形態では、無線通信装置としてＷ−ＣＤＭＡ方式とＧＳＭ方式の２つの無線システムを備えた携帯無線機を例に挙げて説明した。しかし、本発明はこれに限らず、例えばＷ−ＣＤＭＡ方式とＰＨＳ（Personal Handyphone System）方式の２つの無線システムを備えた無線通信装置やＧＳＭ方式とＰＨＳ方式の２つの無線システムを備えた無線通信装置に適用してもよく、他の方式の無線システムに適用してもよい。さらに、２つの無線システムは互いに異なる方式でもよく、同じ方式で周波数帯が異なるものでもよい。
【０１１５】
さらに、前記各実施の形態では、無線通信装置は２個の無線システムを備える構成としたが、例えば図１１に示す第２の変形例のように３個の無線システム２，４，５１、アンテナ６，７，５２を備える構成としてもよい。この場合、追加された無線システム５１には送受信切換器５３を接続すると共に、スイッチ回路５４は、例えば６個のスイッチ５５〜６０と６本の経路６１〜６６によって構成し、アンテナ切換制御回路６７を用いて各スイッチ５５〜６０の切換えを制御する。これにより、各無線システム２，４，５１（共用器３、送受信切換器５，５３）は、スイッチ回路５４を用いていずれのアンテナ６，７，５２に対しても接続可能に構成するものである。同様に、無線通信装置は４個以上の無線システムを備える構成としてもよい。
【図面の簡単な説明】
【０１１６】
【図１】本発明の第１の実施の形態による携帯無線機を示すブロック図である。
【図２】デュアルモード使用時として、図１中の第１，第２の無線システムを第１，第２のアンテナにそれぞれ接続した状態を示すブロック図である。
【図３】シングルモード使用時として、図１中の第１の無線システムを第１のアンテナに接続した状態を示すブロック図である。
【図４】シングルモード使用時として、図１中の第１の無線システムを第２のアンテナに接続した状態を示すブロック図である。
【図５】シングルモード使用時として、図１中の第２の無線システムを第２のアンテナに接続した状態を示すブロック図である。
【図６】シングルモード使用時として、図１中の第２の無線システムを第１のアンテナに接続した状態を示すブロック図である。
【図７】第２の実施の形態による携帯無線機を示すブロック図である。
【図８】第３の実施の形態による携帯無線機を示すブロック図である。
【図９】第４の実施の形態による携帯無線機を、シングルモード使用時として、第１の無線システムを第１のアンテナに接続した状態で示すブロック図である。
【図１０】第１の変形例による携帯無線機を、シングルモード使用時として、第１の無線システムを第１のアンテナに接続した状態で示すブロック図である。
【図１１】第２の変形例による携帯無線機を示すブロック図である。
【符号の説明】
【０１１７】
２  第１の無線システム
３  共用器（第１の送受信分離回路）
４  第２の無線システム
５  送受信切換器（第２の送受信分離回路）
６  第１のアンテナ
７  第２のアンテナ
８，２１，４１，５４，２１′  スイッチ回路
９，２２，２２′  第１のアンテナ側スイッチ
１０，２３，２３′  第１の回路側スイッチ
１１，２４，２４′  第２のアンテナ側スイッチ
１２，２５，２５′  第２の回路側スイッチ
１３，２６  第１の経路
１４，２７  第２の経路
１５，２８，４６，６７，２８′  アンテナ切換制御回路
３１  第１の整合回路
３２  第２の整合回路
Ｚ1〜Ｚ4  インピーダンス
【図１】
2006310968.tif 000003
【図２】
2006310968.tif 000004
【図３】
2006310968.tif 000005
【図４】
2006310968.tif 000006
【図５】
2006310968.tif 000007
【図６】
2006310968.tif 000008
【図７】
2006310968.tif 000009
【図８】
2006310968.tif 000010
【図９】
2006310968.tif 000011
【図１０】
2006310968.tif 000012
【図１１】
2006310968.tif 000013